(57)【要約】【課題】ハウスの天壁或いは側壁に透明な透光性部材で密閉した採光用の窓を設けることにより、外部の自然光を室内に取り入れて自然環境で生育した如き、茎が短く自然な色の茸類を栽培することができる茸類栽培用ハウスを提供する。【解決手段】遮光性の天壁１２及び側壁１４にて囲繞された室内３６を所定の栽培環境に管理する茸類栽培用ハウス１０において、天壁或いは側壁に採光用の窓３０を設ける。窓３０を透光性部材３４にて閉塞する。【選択図】図１
2007195476.tif 000002
【特許請求の範囲】
【請求項１】
遮光性の天壁及び側壁にて囲繞された室内を所定の栽培環境に管理する茸類栽培用ハウスにおいて、
前記天壁或いは前記側壁に設けられた採光用の窓を備え、該窓は透光性部材にて閉塞されていることを特徴とする茸類栽培用ハウス。
【請求項２】
前記窓内には、前記透光性部材にて仕切られ、前記側壁の厚さ方向に隣接する複数の区画室が形成されていることを特徴とする請求項１に記載の茸類栽培用ハウス。
【請求項３】
前記天壁及び前記側壁内側に発泡合成ゴム又はウレタンを吹き付け、或いは、硬質ウレタン等の断熱部材を設けたビニールハウス、若しくは、プレハブハウスにより構成されていることを特徴とする請求項１又は請求項２に記載の茸類栽培用ハウス。
【発明の詳細な説明】
【技術分野】
【０００１】
本発明は、断熱加工を施し遮光されたハウスの室内で冷暖房装置、及び、それに連通したダクト類を具備して茸類の人工栽培を行う茸類栽培用ハウスに関するものである。
【背景技術】
【０００２】
従来より、茸類栽培用ハウスは、外気温度が低い冬季や外気温度が高い夏季などにおいても一年中茸類の栽培ができるように、所定の間隔でアーチ状に設けたパイプの周囲をビニールなどからなる遮光性シートで囲繞して安価に建造していた。そして、遮光性シートの内側に断熱部材を設けて大型大容量の簡易断熱ビニールハウスを構成していた。そして、冷暖房装置や加湿装置などを用いてハウスの室内を茸類の好適な栽培環境に管理して、略一年中茸類の栽培が行えるようにしていた（特許文献１参照）。
【０００３】
このような、茸類栽培用ハウスの室内で茸類の培養基材料作りから種菌の接種、培養、芽出し、生育、収穫、梱包、出荷等の作業が行われるため、茸類栽培用ハウスは奥行き約３０ｍ、幅約８ｍ程度の大きなものであった。このため、ハウスの建造には大きな面積が必要となり、一般的に畑や山などの平地に建造されていた。そして、ハウスの柱となるパイプの下端を所定寸法コンクリートで固めて固定していた。これにより、ハウスの強度を図り、風や嵐などで破損してしまうのを防止していた。また、ハウスの室内は平地を固めた状態で使用されていた。
【０００４】
また、他の簡易茸類栽培用ハウスの例として、軽量鉄骨やパイプを使用して躯体を構成し、その躯体の表面をビニールシートやプラスチックフィルムなどで覆って構成した簡素なハウス、所謂プレハブハウスも提案されている。係るハウス室内を区画壁によって仕切り、隣接する２室を相互に出入り可能に形成すると共に、２室の一方を培養室とし、他方を発生室として茸類の栽培が行えるようにしていた。この場合も、冷暖房装置や加湿装置などを用いてハウス室内を茸類の栽培に好適な栽培環境に管理して、略一年中茸類の栽培が行えるようにしていた（特許文献２参照）。
【０００５】
【特許文献１】特開平１０−６６４４４号公報
【特許文献２】特開平１１−１２７６８４号公報
【発明の開示】
【発明が解決しようとする課題】
【０００６】
しかしながら、前者及び後者のハウス室内は、外気温度が低い冬季や外気温度が高い夏季などでも一年中を通して茸類の好適な栽培環境に管理しなければならないため、ハウス周囲を遮光性シートや、ビニールシートで覆い、そのシートの内側に断熱部材を設けてハウスの天壁や側壁を断熱していた。このため、ハウスの室内には外の自然光が入らなかった。この状態で、ハウスで茸類を栽培した場合、茸類はモヤシのように茎が長くなったり色が白っぽくなってしまい商品価値が低下してしまうという問題があった。
【０００７】
また、昼間にも拘わらずハウス室内に電球を点灯して、自然環境で生育した如き茎が短く自然な色の茸類を栽培していたので、電力使用料金が高額になってしまうと言う問題もあった。
【０００８】
本発明は、係る従来技術の課題を解決するために成されたものであり、ハウスの天壁或いは側壁に透明な透光性部材で密閉した採光用の窓を設けることにより、外部の自然光を室内に取り入れて自然環境で生育した如き、茎が短く自然な色の茸類を栽培することができる茸類栽培用ハウスを提供することを目的とする。
【課題を解決するための手段】
【０００９】
即ち、本発明の茸類栽培用ハウスは、遮光性の天壁及び側壁にて囲繞された室内を所定の栽培環境に管理するものであって、天壁或いは側壁に設けられた採光用の窓を備え、この窓は透光性部材にて閉塞されていることを特徴とする。
【００１０】
また、請求項２の発明の茸類栽培用ハウスは、請求項１において、窓内には、透光性部材にて仕切られ、側壁の厚さ方向に隣接する複数の区画室が形成されていることを特徴とする。
【００１１】
また、請求項３の発明の茸類栽培用ハウスは、請求項１又は請求項２において、天壁及び側壁内側に発泡合成ゴム又はウレタンを吹き付け、或いは、硬質ウレタン等の断熱部材を設けたビニールハウス、若しくは、プレハブハウスにより構成されていることを特徴とする。
【発明の効果】
【００１２】
本発明によれば、遮光性の天壁及び側壁にて囲繞された室内を所定の栽培環境に管理する茸類栽培用ハウスにおいて、天壁或いは側壁に設けられた採光用の窓を備え、この窓は透光性部材にて閉塞されているので、例えば側壁の断熱効果を維持した状態で室内を茸類の生育に好適な栽培環境に管理しつつ、室内に外部の自然光を取り入れることができる。これにより、従来のようにハウス室内で電球を点灯させなくても、窓から自然光を室内に取り入れることができる。従って、電力使用料金を大幅に節約することができるようになり便利である。
【００１３】
特に、窓から自然光を室内に取り入れるようにしているので、自然環境で生育した茸類の如き茎が短く自然な色の茸類を栽培することができる。これにより、茸類が色白や茎長になってしまうなどの不都合を確実に防止することができるようになるので、消費者に好まれる茎が短く自然な色の茸類を、一年を通して安定栽培することができる。
【００１４】
また、請求項２の発明によれば、上記において、窓内には、透光性部材にて仕切られ、側壁の厚さ方向に隣接する複数の区画室が形成されているので、例えば窓に複数の空気層を形成することができる。これにより、窓の断熱効果を大幅に向上させることが可能となる。従って、ハウス室内の冷暖房効果を更に向上させることが可能になるので、電力使用料金も大幅に節約することができ、極めて経済効果を向上させることができるようになるものである。
【００１５】
また、請求項３の発明のビニールハウス、若しくは、プレハブハウスを請求項１乃至請求項２に適用することにより、室内を茸類の好適な栽培環境に管理することが可能となる。これにより、例えば暑い夏季や、寒い冬季などにおいてハウス室内を所定の温度に維持する際、冷暖房効率が悪化してしまうなどの不都合を未然に防止することが可能となる。従って、茸類栽培用ハウスの利便性を極めて向上することができるようになるものである。
【発明を実施するための最良の形態】
【００１６】
本発明は、茸類栽培用ハウス室内で栽培する茸類がモヤシのように長い茎になったり、色が白っぽくなってしまうなどの不都合を防止するための電球を点灯せずに、外の自然の明かりを取り入れて茸類がモヤシのようになってしまうのを防止することを特徴とする。茸類がモヤシのようになってしまうのを防止するため、茸類栽培用ハウス室内に設置した棚間の側壁に明かり取り窓を設けるだけで実現した。
【実施例１】
【００１７】
次に、図面に基づき本発明の実施例を詳述する。図１は本発明の一実施例を示す茸類栽培用ハウス１０の斜視図、図２は同図１の茸類栽培用ハウス１０の縦断側面図、図３は同図１の茸類栽培用ハウス１０の要部を示す図をそれぞれ示している。
【００１８】
茸類栽培用ハウス１０の室内３６には複数の棚５０が設置されると共に、これらの棚２０の上で例えば茸類の培養、芽出し、生育、収穫等の作業が行われる。ハウス１０は、図１に示すように縦長矩形状に形成され、外側がビニール或いはポリエステルなどのシート部材２８で覆われた所謂ビニールハウスにて構成されている。このハウス１０は、ハウス１０の骨格となる複数のパイプ１８と、このパイプ１８を固定する長尺の梁２２（図２に図示）と、パイプ１８の外側を覆うシート部材２８と、このシート部材２８の内側（室内３６側）に設けられた断熱部材２６とから構成されている。
【００１９】
該パイプ１８は、金属製のパイプが複数本接続されてアーチ状に形成され、このアーチ状のパイプ１８がハウス１０の長手方向に所定の間隔で複数配置されている。そして、図３に示すようにこのパイプ１８の両端が、地面７０に差し込まれることにより、パイプ１８は地面７０に強固に固定されている。
【００２０】
また、ハウス１０は、アーチ状に形成されたパイプ１８と、梁２２と、筋交２４とが図示しないネジ、或いは、溶接などによって固定されることにより強固に構成されている。該梁２２及び筋交２４は、ハウス１０の長手方向に略１．８ｍ間隔で設けられている。尚、パイプ１８は、野菜類の栽培等を行うビニールハウス、或いは外側を防水シート等で覆った建物（所定の品物を入れて保管する倉庫、或いは車庫等）等に一般的に使用される直径約２２ｍｍの金属製パイプにて構成されている。
【００２１】
また、所定の間隔で複数本設置されたパイプ１８には、補強パイプ２０が設けられており、この補強パイプ２０は、パイプ１８より強度が強い直径約４０ｍｍの金属製パイプにて構成されている。この補強パイプ２０は、パイプ１８複数本に対して１本設けられると共に、パイプ１８と所定の間隔を存してハウス１０内側（室内３６側）に設けられている。即ち、補強パイプ２０は、例えばパイプ１８が５本の間隔で１本設けられている。これにより、ハウス１０の強度アップが図られている。
【００２２】
このように、パイプ１８（補強パイプ２０を含む）を所定寸法地面７０に差し込んで、ハウス１０の骨格を建造することにより、従来のようにパイプ１８の下端をコンクリートで固めて固定しなくてもハウス１０の強度アップを図ることができる。これにより、ハウス１０が風や嵐などで破損してしまうなどの不都合を確実に防止することができる。また、パイプ１８（補強パイプ２０を含む）を所定寸法地面７０に差し込んでいるだけなので、従来のようにパイプ１８の下端がコンクリートで固められて固定される迄の期間を待たなくても、ハウス１０の次の建造作業を行うことができる。これにより、茸類栽培用ハウス１０が完成するまでの工期を大幅に短縮することができ便利である。
【００２３】
また、ハウス１０室内３６の床面となる箇所には、予め砕石６５が平らに固められ更にその上面にコンクリート床６４が略平面に敷設されている。コンクリート床６４は内部にワイヤーメッシュ６６が設けられ、これによってコンクリート床６４の強度アップが図られている。尚、地面７０に差し込んだパイプ１８（補強パイプ２０を含む）はコンクリート床６４では固定していない。
【００２４】
このように、ハウス１０室内３６にコンクリート床６４で平面に床を設けることにより、棚５０（図２に図示）の移動を行い易くしている。この場合、例えば棚５０の下にキャスター（図示せず）を設ければ、棚５０を１人でも容易に移動することができ極めて便利である。これにより、ハウス１０室内３６での作業効率を大幅に向上することができるようになる。
【００２５】
また、シート部材２８は、所定の厚さのビニール、ポリエステル或いは合成樹脂、天然繊維などからなる遮光性の防水シートにて構成されている。該シート部材２８は、少なくとも一枚或いは複数枚が、熱融着或いは接着剤にて接続されて所定の大きさに構成されると共に、所定の間隔で設けられたパイプ１８の外側を囲繞している。これにより、ハウス１０室内３６に風雨が浸入してしまうのを防止して、茸類の栽培に悪影響を与えないようになっている。
【００２６】
また、断熱部材２６は、前記シート部材２８の内側全面に設けられると共に、約＋４０ｍｍ〜＋１５０ｍｍの厚さに形成されている。この場合、シート部材２８の内側全体に断熱部材２６として、発泡合成ゴム、又は、ウレタンを吹き付け、或いは、硬質ウレタン等からなる断熱材を設けることにより、確実にハウス１０の室内３６と室外との断熱を行っている。
【００２７】
一方、図４に示すようにハウス１０室内３６には仕切壁３８が設けられており、この仕切壁３８は室内３６を所定位置で仕切っている。そして、仕切壁３８で仕切られた室内３６の一方に機械室４２、他方に茸類を生育するための生育室４０を設けている。この機械室４２には、冷房装置４４や暖房装置４６、或いは、ボイラー４９や加圧ポンプ４８などが設けられている。尚、４７は制御装置で、冷房装置４４、暖房装置４６など制御して茸類栽培用ハウス１０の室内３６を所定の栽培環境に管理する。
【００２８】
また、生育室４０内には暖房用の温風ダクト５６及び冷房用の冷風ダクト５７が配設されると共に、加湿用の噴霧パイプ５８などが配設されている。そして、冷風ダクト５７は図５に示すように棚５０の上方に配設されると共に、温風ダクト５６は図６、図７に示すように各棚５０の下部に配設されている。これらの暖冷風ダクト５６、５７は、暖房時には温められた空気を温風ダクト５６から排出して冷風ダクト５７から回収すると共に、冷房時には冷やされた空気を冷風ダクト５７から排出して温風ダクト５６から回収するようになっている。尚、図５、図６では冷風ダクト５７を、各棚５０上に直交して図示しているが、冷風ダクト５７は実際には図７に示すように各棚５０の上方に位置して各棚５０の延在方向に配設されている。
【００２９】
両暖冷風ダクト５６、５７は、ダンパー（図示せず）を介して機械室４２内の冷房装置４４及び暖房装置４６に接続されている。両暖冷風ダクト５６、５７は、直径約１００ｍｍ〜３２０ｍｍの円筒形に形成され、生育室４０内の所定位置に配設可能なアルミフレキ製、アルミニウム及び鉄板等のスパイラル製、或いは、ビニールフィルム製等にて構成されている。そして、両暖冷風ダクト５６、５７にはそれぞれ長手方向に所定の間隔で空気孔５５が設けられている。これらの空気孔５５は両暖冷風ダクト５６、５７の両側面を貫通して設けられると共に、水平より小許下方に向けて設けられている。該両暖冷風ダクト５６、５７に設けた空気孔５５は、冷暖房用の空気を吹き出すと共に、吸い込めるようになっている。
【００３０】
前記棚５０には、茸類の種菌の培養や生育などを行うための紙、或いは、合成樹脂などの容器５４を載置するための棚板５２が所定の間隔を存して複数段（実施例では７段）設けられている。最下段の棚板５２下方は、床面と所定寸法の隙間（この場合、複数段設けた棚板５２と棚板５２との隙間と略同等の隙間）を有している。そして、図７、図８に示すように前記温風ダクト５６は、保持部材５９にて最下段の棚板５２に保持される。また、図９に示すように棚板５２の上面には、茸類の生育に必要な豊富な栄養分を含んだオガクズ、フスマ、コーン、ブラン等多数の材料が混合された培地、及び、種菌などが入れられた容器５４が載置される。
【００３１】
そして、暖房装置４６にて所定温度に温められた暖かい空気は、温風ダクト５６の空気孔５５から各棚５０の下方に吹き出される（図８矢印）。各棚５０の下方に吹き出された暖かい空気は、棚５０及び棚５０近傍を温めながら上昇し、上方に設けられた冷風ダクト５７の空気孔５５から吸い込まれる（図５）。冷風ダクト５７に吸い込まれた空気は、暖房装置４６に流入して再び温められ、各棚５０下方の温風ダクト５６の空気孔５５より各棚５０下方に吹き出されこれが繰り返される。これによって、各棚５０の上段、及び下段近傍の温度差を殆ど同じ温度に維持することが可能となる。従って、各棚５０の上段と下段の茸の生育が異なる等と言った不都合を防止することができる。尚、冷風ダクト５７を床面近傍に設け、この冷風ダクト５７によって床面近傍に淀んでいる冷気を回収するようにしても良い。これにより、更に好適に各棚５０の上段、及び下段近傍の温度差を殆ど同じ温度に維持することが可能となる。また、冷風ダクト５７は暖房時の空気の回収のみ使用している。
【００３２】
また、冷房装置４４にて所定の温度に冷やされた冷たい空気は、図６に矢印で示すように冷風ダクト５７の空気孔５５から各棚５０の上方に吹き出される。各棚５０の上方に吹き出された冷たい空気は、棚５０及び棚５０近傍を冷やしながら下降し、下方に設けられた温風ダクト５６の空気孔５５から吸い込まれる。温風ダクト５６に吸い込まれた空気は、冷房装置４４に流入して再び冷やされ、各棚５０上方の冷風ダクト５７より各棚５０上方に吹き出される。これによって、各棚５０の上段、及び下段近傍の温度差を殆ど同じ温度に維持することが可能となる。従って、各棚５０の上段と下段の茸の生育が異なる等と言った不都合を防止することができる。尚、温風ダクト５６を室内３６上方に設け、この温風ダクト５６によって室内３６上方に淀んでいる暖気を回収するようにしても良い。これにより、更に好適に各棚５０の上段、及び下段近傍の温度差を殆ど同じ温度に維持することが可能となる。また、温風ダクト５６は冷房時の空気の回収のみ使用している。
【００３３】
また、前記噴霧パイプ５８は、霧或いは小粒子状の水を噴き出して生育室４０内を所定の湿度に加湿するもので、鉄、鋼等の金属管或いは塩化ビニール管等にて構成されている。噴霧パイプ５８の一方は機械室４２に設けられた加圧ポンプ４８に接続され、他方は生育室４０内の長手方向に複数本配設されている。この噴霧パイプ５８には所定の間隔で噴霧ノズル（図示せず）が取り付けられており、この噴霧ノズルより所定量の霧或いは小粒子状の水が噴霧されて、生育室４０内は茸類の生育に好適な湿度に加湿される。尚、１６は断熱材などにて構成されたドアである。
【００３４】
他方、従来では一年中を通してハウス１０内で茸類の栽培を好適に行うため、ハウス１０室内３６に電球を点灯していたので電力使用料金が高額になってしまう。そこで、本実施例の茸類栽培用ハウス１０の室内３６に、外部の自然光を取り入れるための採光用の窓３０（図１）を設けている。茸類栽培用ハウス１０は、側面に設けられた側壁１４と、この側壁１４の上側に設けられた天壁１２とから構成されており、この側壁１４に複数の窓３０が設けられている。
【００３５】
該窓３０は、側壁１４を貫通して室内３６と室外とを連通して設けられている。また、窓３０の両面（室内３６側と室外側）には所定の厚さの透明ビニールシート、透明ポリエステルシート、透明合成樹脂板、透明ガラス板などの透光性部材３４が設けられている。窓３０の両面は、これらの透光性部材３４によって密閉され、その間に空気層が形成されている。この空気層により側壁１４の断熱効果を維持しつつ、窓３０からハウス１０外部の自然光を室内３６に取り入れられるようになっている。
【００３６】
このように、ハウス１０の側壁１４に採光用の窓３０を設け、この窓３０の両面を透光性部材３４にて閉塞して空気層を設けているので、窓３０の断熱効果を大幅に向上することができる。これにより、窓３０及び側壁１４の断熱効果を維持して室内３６を茸類の好適な栽培環境に管理しつつ、窓３０から室内３６に自然光を取り入れることができる。従って、従来のようにハウス１０室内３６で電球を点灯させる必要もなくなるので、電力使用料金を大幅に節約することができるようになり便利である。
【００３７】
特に、窓３０から室内３６に外の自然光を取り入れられるようにしているので、自然環境で生育した茸類の如き茎が短く自然な色の茸類を栽培することが可能となる。これにより、茸類が色白や茎長になってしまうなどの不都合を確実に防止することができるので、消費者に好まれる茎が短く自然な色の茸類を、一年を通じ安定して栽培することが可能となる。
【００３８】
また、本発明の茸類栽培用ハウス１０では、窓３０を多重構造（実施例では二重構造）に構成している（図３に図示）。即ち、窓３０を厚さ方向（この場合、室内３６と室外方向）の略中間に透光性部材３４を設けて空気層を２分割して、二つの区画室３２を設けている。即ち、窓３０の両面に設けた透光性部材３４の略中間に透光性部材３４を一枚設けて、窓３０内を厚さ方向に２分割している。これにより、透光性部材３４を境に、窓３０には室内３６側と外側にそれぞれ区画室３２を形成している。これにより、窓３０内に区画室３２による空気層を複数形成することができる。
【００３９】
このように、窓３０に複数の空気層を形成することにより、窓３０の断熱効果を大幅に向上させることができる。これにより、ハウス１０室内３６の冷暖房効果を極めて向上させることが可能になるので、窓３０の結露防止、及び、電力使用料金などを大幅に低減させることができる。尚、空気層を複数設けることにより断熱効果が向上する技術については、従来より周知の技術であるため詳細な説明を省略する。
【実施例２】
【００４０】
次に、図１０は本発明の一実施例を示す茸類栽培用ハウス１０を示している。本実施例における茸類栽培用ハウス１０は、前述の実施例１と略同じ構成を有している。以下、異なる部分について説明する。尚、前述の実施例と同じ部分にはこれと同じ符号を付し、説明を省略する。即ち、ハウス１０内の各棚５０の下側には金属製のパイプにて構成された温水配管６２が配設されている。この温水配管６２は、各棚５０の幅方向に所定の間隔を存して配設されると共に、保持部材５９保持されて、棚５０の最下段の棚板５２下側に固定されている。
【００４１】
そして、温水配管６２は、図１０、図１１に示すように棚５０の幅方向一側から奥行き方向一側を他側まで延在し、そこで折れ曲がって奥行き方向他側まで延在し、そこで更に折れ曲がって幅方向一側まで戻るＵ字状に形成されている。この温水配管６２の一方は、ボイラー４９から機械室４２の離間側まで延在して設けられた温水供給管６０に接続されると共に、温水配管６２の他方は、ボイラー４９から機械室４２の離間側まで延在して設けられた温水回収管６１に接続されている。
【００４２】
そして、加圧ポンプ４８が運転され、ボイラー４９で加熱された温水が温水供給管６０から各棚５０下の温水配管６２に供給されることにより、温水配管６２内の温水とその周囲の空気とが熱交換する。これによって、各棚５０下の空気は所定の温度に温められる。熱交換して放熱した温水は冷却して温水回収管６１内をボイラー４９まで帰還し、そこで再度加熱されて温水供給管６０に流出する循環を繰り返す。
【００４３】
そして、温水配管６２の放熱により各棚５０下の空気が所定の温度に温められると、その空気は上昇して棚５０全体を包むように上昇していく。温められた空気は上昇する過程で棚５０に載置された茸類と熱交換して徐々に冷やされ、最終的に室内３６の空気と略同じ温度になる。これにより、予めハウス１０内に設けられた暖房装置以外に、棚５０全体を下方から温めることが可能となる。従って、各棚５０の上下の温度差を小さくすることができ、ハウス１０室内３６で栽培している茸類が、同一棚５０の上下で成長が著しく異なってしまうなどの不都合を未然に防止することが可能となる。また、各棚５０下の暖かい空気が上昇する際、棚５０の上方の空気と下方の空気が対流をする。これによって、各棚５０上の容器５４で栽培している茸類に空気（酸素）を供給することが可能となる。従って、茸類の成長を大幅に促進することができるようになり、茸類の大幅な増収を図ることができるようになる。
【００４４】
また、コンクリートを平面に設けてコンクリート床６４としている茸類栽培用ハウス１０では、外気が冷たい冬季などでは、特に床面となるコンクリート床６４が冷えてハウス１０室内３６上下の温度差が大きくなってしまう。しかし、各棚５０下に設けた温水配管６２によって、下方から棚５０を温めているので、外気温度が低下した場合でもハウス１０室内３６の下方と上方との温度差が大きくならず、棚５０の上下を均一の温度に管理することができる。従って、茸類栽培用ハウス１０の暖房費用を大幅に節約することができるようになる。
【００４５】
また、各棚５０に設けた一方の温水配管６２の端部に温水供給管６０を接続し、他方の端部に温水回収管６１を接続し、ボイラー４９で加熱した温水を温水供給管６０に流入させている。これにより、どの棚５０の温水配管６２にも略同じ温度の温水を供給することが可能となる。従って、何れの棚５０も同一温度で温めることができるので、各茸栽培棚５０で栽培する茸類を均一に成長させることができ、茸類栽培用ハウス１０の利便性を大幅に向上させることができる。尚、温水配管６２の代わりに電気ヒータ（図示せず）を用いても差し支えない。この場合、電気ヒータは図示しない制御装置にて容易に温度制御することができる。これにより、温水配管６２より更に棚５０上下の温度を好適に管理することができ便利である。
【実施例３】
【００４６】
次に、図１２は本発明の一実施例を示す茸類栽培用ハウス１０の平断面図を示している。本実施例における茸類栽培用ハウス１０は、前述の実施例１と略同じ構成を有している。以下、異なる部分について説明する。尚、前述の実施例と同じ部分にはこれと同じ符号を付し、説明を省略する。即ち、茸類栽培用ハウス１０は、図１２に示すように、冷房装置４４に接続された冷水配管６３を室内３６に延在して設けている。
【００４７】
この冷水配管６３は、図１３に示すように各棚５０上方に配設されると共に、この冷水配管６３の一方は冷房装置４４から機械室４２の離間側まで延在して設けられた冷水供給管７２に接続され、他方は冷房装置４４から機械室４２の離間側まで延在して設けられた冷水回収管７４に接続されている。冷水配管６３（冷水供給管７２及び冷水回収管７４を含む）には凍結、或いは、沸騰しない不凍液などの熱媒体（本発明の冷水に相当）が封入されると共に、ポンプ（図示せず）が設けられており、このポンプによって冷水配管６３内の熱媒体が循環するように構成されている。尚、冷水配管６３には、図示しないが多数の放熱フィンが設けられており、このフィンから冷水配管６３内を流通する熱媒体の冷気が放出されるようになっている。また、冷房装置４４の冷媒を冷水配管６３内に流通させて、そこで蒸発させて冷却作用を発揮するようにしても差し支えない。
【００４８】
そして、ポンプが運転され、冷房装置４４で冷却された熱媒体が冷水供給管７２から各棚５０上の冷水配管６３に供給されることにより、冷水配管６３内の熱媒体とその周囲の空気とが熱交換する。これによって、各棚５０上方の空気は所定の温度に冷却される。この場合、各棚５０上の空気は棚５０全体を包むように下降していき、各棚５０を所定の温度に冷やすことができる。これにより、各棚５０だけを効率的に冷やすことができて便利である。そして、熱交換して放熱した熱媒体は温められて冷水回収管７４内を冷房装置４４まで帰還し、そこで再度冷却されて冷水供給管７２に流出する循環を繰り返す。また、各棚５０上の冷やされた空気が下降する際、棚５０の下方の空気と上方の空気が対流をする。これによって、各棚５０上の容器５４で栽培している茸類に空気（酸素）を供給することが可能となる。従って、茸類の成長を大幅に促進することができるようになり、茸類の大幅な増収を図ることができるようになる。
【００４９】
このように、各棚５０上部に冷水配管６３を設けているので、ハウス１０内を茸類の栽培に適した所定の環境に管理するための冷房装置４４にて冷却された冷水を、各棚５０の上部に設けた冷水配管６３に供給することができる。これにより、各棚５０上方を同一温度の冷水で冷やすことができ、各棚５０上方を冷やした後の冷水を冷水回収管７４から冷房装置４４に帰還させることができる。従って、ハウス１０内に設置した各棚５０の上方と下方とを略同一温度で好適に冷やすことができるので、外気が暖かい夏季などにおいても、各棚５０の下方と上方との温度差を略均一に管理することができるようになる。
【実施例４】
【００５０】
次に、図１４は本発明の一実施例を示す茸類栽培用ハウス１０を示している。本実施例における茸類栽培用ハウス１０は、前述の実施例１と略同じ構成を有している。以下、異なる部分について説明する。尚、前述の実施例と同じ部分にはこれと同じ符号を付し、説明を省略する。図１４は、本発明の他の一実施例の茸類栽培用ハウス１０の斜視図である。即ち、茸類栽培用ハウス１０は、図１４に示すように側壁１４に略接する天壁１２に外部の自然光を室内３６に採光するための複数の窓３０を設けている。
【００５１】
詳しくは、図１５、図１６に示すように実施例４では実施例１で側壁１４に設けた窓３０を天壁１２設けている。他実施例１と同等に構成されている。これにより、実施例１同様各茸栽培棚５０の上下で栽培する茸類を均一に成長させることができ、茸類栽培用ハウス１０の利便性を大幅に向上させることができる。
【実施例５】
【００５２】
次に、図１７は本発明の一実施例を示す茸類栽培用ハウス１０を示している。本実施例における茸類栽培用ハウス１０は、図１７に示すように基礎８０上に所定の間隔（この場合約９００ｍｍ間隔）で柱８２が設けられ、隣接する柱８２間にカラートタン（不透明トタン）、或いは、ベニヤ板などの外パネル８４を設けた所謂プレハブハウスにて構成されている。即ち、ハウス１０は、前述の実施例１のビニールハウス１０をプレハブハウスに変えただけで、他は前述の実施例１と略同じ構成を有している。以下、異なる部分について説明する。尚、前述の実施例１と同じ部分にはこれと同じ符号を付し、説明を省略する。
【００５３】
実施例５のハウス１０は、実施例１のハウス１０同様縦長矩形状に形成され、上部には屋根８６が設けられている。ハウス１０は、図１７に示すように、外パネル８４の室内３６側及び屋根８６の裏面側には、実施例１で説明したビニールハウス１０の如き所定の厚さの発泡合成ゴム、又は、ウレタンを吹き付け、或いは、硬質ウレタン等の断熱部材２６が設けられている（屋根８６部分は図示せず）。断熱部材２６の内側には、内パネル８５（図１８に図示）が設けられて側壁１４ができている。また、ハウス１０には図１９に示すようにドア１６が設けられており、このドア１６からハウス１０室内３６に出入りできるようになっている。
【００５４】
また、側壁１４には幅約９００ｍｍ、高さ約１５００ｍｍの略縦長矩形状の窓３０が設けられている（図１７、図１８）。これらの窓３０にも前記実施例１同様の複数の区画室（図示せず）が設けられている。これによって、前述同様の効果を得ることができる。また、窓３０は、室内３６に外の自然光が入り易い側壁１４上部で屋根８６に近接して下側に設けられている。尚、２５は屋根８６を支えるための中柱である。
【００５５】
ここで、各実施例では、ハウス１０の側壁１４及び天壁１２に断熱材として所定の断熱部材２６を設けたが、断熱材は発泡合成ゴム、又は、発泡ウレタンに限らず、予め所定の大きさの断熱部材（図示せず）を設け、この断熱部材を天壁１２及び側壁１４の室内３６側（屋根８６の室内３６側を含む）に略隙間無く設けても差し支えない。この場合、茸類栽培用ハウス１０を建造する現場で発泡合成ゴム、又は、ウレタンを噴き付けなることなく、ハウス１０の天壁１２や側壁１４を断熱構造にすることができるので、現場で発泡合成ゴム噴き付け用の大がかりな装置が不要となり便利である。
【００５６】
尚、実施例では本発明をビニールハウス及びプレハブハウスに適用したが、本発明はビニールハウス及びプレハブハウスに限らず、茸類を栽培するために建てられた茸栽培専用の茸栽培ハウスに適用しても有効である。
【００５７】
また、各実施例では、茸類栽培用ハウス１０の形状や寸法などを記載したが、ハウス１０は本発明の要旨を逸脱しない範囲内で形状や寸法を変更しても良いのは言うまでもない。勿論本発明は、上記各実施例のみに限定されるものではなく、この発明の趣旨を逸脱しない範囲で他の様々な変更を行っても本発明は有効である。
【図面の簡単な説明】
【００５８】
【図１】本発明の一実施例を示す茸類栽培用ハウスの斜視図である（実施例１）。
【図２】同図１の茸類栽培用ハウスの縦断面図である。
【図３】同図１の茸類栽培用ハウスの要部を示す図である。
【図４】本発明の茸類栽培用ハウスの平断面図である。
【図５】本発明の茸類栽培用ハウスを暖房する時の空気の流れを示す図である。
【図６】本発明の茸類栽培用ハウスを冷房する時の空気の流れを示す図である。
【図７】本発明の茸類栽培用ハウスに用いられる棚の正面図である。
【図８】同図７の茸類栽培用ハウスに用いられる棚の側面図である。
【図９】同図７の茸類栽培用ハウスに用いられる棚の平面図である。
【図１０】本発明の一実施例を示す茸類栽培用ハウスの平断面図である（実施例２）。
【図１１】同図１０の茸類栽培用ハウスに用いられる棚の側面図である。
【図１２】本発明の一実施例を示す茸類栽培用ハウスの平断面図である（実施例３）。
【図１３】本発明の茸類栽培用ハウスに用いられる棚の正面図である。
【図１４】本発明の一実施例を示す茸類栽培用ハウスの斜視図である（実施例４）。
【図１５】同図１４の茸類栽培用ハウスの縦断側面図である。
【図１６】同図１４の茸類栽培用ハウスの要部を示す図である。
【図１７】本発明の一実施例を示す茸類栽培用ハウスの斜視図である（実施例５）。
【図１８】同図１７の茸類栽培用ハウスの縦断面図である。
【図１９】同図１７の茸類栽培用ハウスの側面図である。
【符号の説明】
【００５９】
１０  ハウス
１２  天壁
１４  側壁
１８  パイプ
２０  補強パイプ
２６  断熱部材
２８  シート部材
３０  窓
３２  区画室
３４  透光性部材
３６  室内
４０  生育室
４２  機械室
４４  冷房装置
４６  暖房装置
４７  制御装置
４８  加圧ポンプ
４９  ボイラー
５０  棚
５２  棚板
５４  容器
５５  空気孔
５６  温風ダクト
５７  冷風ダクト
５８  噴霧パイプ
５９  保持部材
６０  温水供給管
６１  温水回収管
６２  温水配管
６３  冷水配管
６４  コンクリート床
７０  地面
７２  冷水供給管
７４  冷水回収管
８２  柱
８６  屋根
【図１】
2007195476.tif 000003
【図２】
2007195476.tif 000004
【図３】
2007195476.tif 000005
【図４】
2007195476.tif 000006
【図５】
2007195476.tif 000007
【図６】
2007195476.tif 000008
【図７】
2007195476.tif 000009
【図８】
2007195476.tif 000010
【図９】
2007195476.tif 000011
【図１０】
2007195476.tif 000012
【図１１】
2007195476.tif 000013
【図１２】
2007195476.tif 000014
【図１３】
2007195476.tif 000015
【図１４】
2007195476.tif 000016
【図１５】
2007195476.tif 000017
【図１６】
2007195476.tif 000018
【図１７】
2007195476.tif 000019
【図１８】
2007195476.tif 000020
【図１９】
2007195476.tif 000021